(57)【要約】【課題】明るさや寿命のばらつきが少ない発光管及び光源装置を提供すること。【解決手段】電極８６Ａの根元側部分８６ｄは、電極軸ＡＸに垂直なＡＢ方向に沿った両側から挟まれている。この際、両箔板８４ｅ，８４ｆに固定部ＳＷが形成される。電極８６Ａの根元側部分８６ｄを２枚の箔板８４ｅ，８４ｆで挟んで固定することにより、電極８６Ａや電極取付部８４ａが第１導電部材７３Ａの電極軸ＡＸに沿って電極軸ＡＸのまわりに回転対称に配置されるとともに、電極取付部８４ａにおける電極８６Ａの固定が安定する。この結果、シュリンクシールによる封止に際して、電極８６Ａが金属箔部材８７Ａやリード線８８Ａを基準とする電極軸ＡＸに対して傾くことを防止できる。【選択図】図１
2008098079.tif 000002
【特許請求の範囲】
【請求項１】
外側に延びるリード線と、内側に延びる電極と、前記リード線と前記電極との間に介在
して両者を電気的に接続する金属箔部材とを含む少なくとも１つ以上の導電部材と、
前記電極のうち少なくとも先端部を内部空間に収納する本体部分と、前記導電部材のう
ち少なくとも前記金属箔部材と前記電極の根元側部分とを埋め込むように固定する固定部
とを有する封止管とを備え、
前記電極は、前記根元側部分において、前記金属箔部材の端部によって前記電極の軸に
垂直な両側から挟まれている発光管。
【請求項２】
前記導電部材を構成する前記リード線、及び前記金属箔部材は、前記電極の軸に沿って
延びるとともに当該電極の軸のまわりに回転対称に配置されている請求項１記載の発光管
。
【請求項３】
前記固定部は、前記電極の封入処理に際して前記封止管の前記本体部分の一端に形成さ
れた細径部である請求項１及び請求項２のいずれか一項記載の発光管。
【請求項４】
前記金属箔部材は、前記電極の軸が延びる方向に沿って互いに略平行に延びる２枚の箔
板を有し、当該２枚の箔板は、前記リード線の端部と前記電極の根元側部分とを対向する
方向から挟むように保持する請求項１から請求項３のいずれか一項記載の発光管。
【請求項５】
前記金属箔部材は、本体部と、当該本体部の一端に接続されるとともに前記電極の軸が
延びる方向に略沿って互いに略平行に延びる第１及び第２部分を有する端部とを含み、当
該第１及び第２部分は、前記電極の根元側部分を対向する方向から挟むように保持する請
求項１から請求項３のいずれか一項記載の発光管。
【請求項６】
前記金属箔部材の端部は、１枚の箔板の端部を前記電極の軸が延びる方向に略沿って２
つに切断することによって形成された第１及び第２部分を有し、当該第１及び第２部分は
、前記電極の根元側部分を対向する方向から挟むように保持する請求項１から請求項３の
いずれか一項記載の発光管。
【請求項７】
２つの前記導電部材と、各導電部材に対応して前記本体部分の両側に設けられる第１及
び第２固定部を有する前記封止管とを含む請求項１から請求項６のいずれか一項記載の発
光管と、
前記発光管の前記第１固定部側に設けられ、当該発光管から放射された光束を所定方向
に揃えて射出する主反射鏡と、
を備える光源装置。
【請求項８】
前記発光管の前記第２固定部側に設けられ、前記発光管から前記主反射鏡の反対側に放
射された光束を前記発光管の本体部分中の発光部に戻す副反射鏡をさらに備える光源装置
。
【請求項９】
請求項７及び請求項８のいずれか一項記載の光源装置と、
前記光源装置から射出された光束を入力された画像情報に応じて変調して変調光を形成
する光変調部と、
前記光変調部からの変調光を像光として投射する投射光学系と、
を備えるプロジェクタ。
【請求項１０】
前記光変調部は、前記各色光をそれぞれ変調する各色用の光変調装置を有し、
前記光源装置から射出された光束を各色光に分離して前記各色用の光変調装置に導く色
分離光学系と、前記各色用の光変調装置によって変調された各色の変調光を合成する色合
成光学系とをさらに備え、
前記投射光学系は、当該色合成光学系によって合成された像光を投射する
ことを特徴とする請求項９記載のプロジェクタ。
【発明の詳細な説明】
【技術分野】
【０００１】
本発明は、照明光源等として利用される放電型の発光管、並びに、このような発光管を
組み込んだ光源装置及びプロジェクタに関する。
【背景技術】
【０００２】
プロジェクタ用の光源装置として、高圧水銀ランプと、これからの光束を集めて前方に
射出させる反射鏡とを備えるものがある（特許文献１等参照）。このような高圧水銀ラン
プにおいて、これを構成する透明な封止管には、一対の電極が封入されており、各電極の
根元側からは、金属箔を介してリード線が外部に延びている（特許文献２等参照）。ここ
で、電極や金属箔は、一般に封止管端部の熱収縮を利用したシュリンクシールよって気密
に固定される。
【特許文献１】特開平８−３１４０１０号公報
【特許文献２】特開２００５−５６５９９号公報
【発明の開示】
【発明が解決しようとする課題】
【０００３】
しかしながら、上記のような高圧水銀ランプでは、金属箔の片面側に電極の根元側を固
定しているので、電極の軸に関して配置の非対称性が生じやすく、シュリンクシールによ
って封止管の両端に電極を固定する際に、電極が封止管の軸に対して傾いて固定される場
合が頻繁に生じる。この場合、高圧水銀ランプの電極間に形成されるアークの位置やサイ
ズが個々の製品ごとにばらつくことになるので、ランプの明るさにばらつきが生じるとと
もに、温度分布にもばらつきが生じてランプの寿命にばらつきを生じさせる。また、アー
クの位置が大きく偏ると、次段の例えば光均一化用のフライアイ光学系に取り込む光利用
効率が低下し、投射像の照度が大幅に低下する場合がある。さらに、プロジェクタ用のラ
ンプの場合、反射鏡に対向して副鏡を設けてアークからの前方光束をアーク側に戻す場合
があるが、上記のように電極が封止管の軸に対してある程度以上傾いて固定されると、封
止管からの光束をアークやその近傍に正確に戻すことが困難になる。
【０００４】
そこで、本発明は、明るさや寿命のばらつきが少ない発光管及び光源装置を提供するこ
とを目的とする。
【０００５】
また、本発明は、上記のような発光管等を照明用に組み込んだ高画質のプロジェクタを
提供することを目的とする。
【課題を解決するための手段】
【０００６】
上記課題を解決するため、本発明に係る発光管は、（ａ）外側に延びるリード線と、内
側に延びる電極と、リード線と電極との間に介在して両者を電気的に接続する金属箔部材
とを含む少なくとも１つ以上の導電部材と、（ｂ）電極のうち少なくとも先端部を内部空
間に収納する本体部分と、導電部材のうち少なくとも金属箔部材と電極の根元側部分とを
埋め込むように固定する固定部とを有する封止管とを備え、（ｃ）電極が、根元側部分に
おいて、金属箔部材の端部によって電極の軸に垂直な両側から挟まれている。
【０００７】
上記発光管では、電極が根元側部分において金属箔部材の端部によって電極の軸に垂直
な両側から挟まれているので、金属箔部材と電極の根元側部分とを固定部内にシュリンク
シール等を利用して埋め込むように固定して発光管を製造する際に、電極が封止管の軸に
対して傾いて固定される可能性を低減できる。これにより、電極の先端方向に形成される
アークの位置やサイズが個々の製品ごとにばらつくことを防止でき、発光管の明るさや寿
命のばらつきを低減できる。
【０００８】
また、本発明の具体的な側面又は態様では、上記発光管において、導電部材を構成する
リード線、及び金属箔部材が、電極の軸に沿って延びるとともに当該電極の軸のまわりに
回転対称に配置されている。この場合、金属箔部材と電極の根元側部分とを固定部内に埋
め込む際に導電部材に与えられる応力をよりバランスさせることができ、発光管の明るさ
や寿命のばらつきを効果的に低減することができる。
【０００９】
本発明の別の態様では、固定部が、電極の封入処理に際して封止管の本体部分の一端に
形成された細径部である。この場合、各電極の根元が封止管の固定部において熱収縮を利
用したシュリンクシールによって固定され、簡易・確実な固定と気密確保を達成すること
ができる。
【００１０】
本発明のさらに別の態様では、金属箔部材が、電極の軸が延びる方向に沿って互いに略
平行に延びる２枚の箔板を有し、当該２枚の箔板は、リード線の端部と電極の根元側部分
とを対向する方向から挟むように保持する。この場合、２枚の箔板を並べただけの簡単な
金属箔部材によって、電極の根元側部分を両側から挟むように保持することができ、電極
の保持が安定する。
【００１１】
本発明のさらに別の態様では、金属箔部材が、本体部と、当該本体部の一端に接続され
るとともに電極の軸が延びる方向に略沿って互いに略平行に延びる第１及び第２部分を有
する端部とを含み、当該第１及び第２部分は、電極の根元側部分を対向する方向から挟む
ように保持する。この場合、端部で２枚の箔板部分を重ねた簡単な金属箔部材によって、
電極の根元側部分を両側から挟むように保持することができ、電極の保持が安定する。
【００１２】
本発明のさらに別の態様では、金属箔部材の端部が、１枚の箔板の端部を電極の軸が延
びる方向に略沿って２つに切断することによって形成された第１及び第２部分を有し、当
該第１及び第２部分は、電極の根元側部分を対向する方向から挟むように保持する。この
場合、単一の箔板の端部を適当な形状に切断しただだけの金属箔部材によって電極の根元
側部分を両側から挟むように保持することができ、電極の保持が安定する。
【００１３】
本発明に係る光源装置は、（ａ）２つの導電部材と、各導電部材に対応して本体部分の
両側に設けられる第１及び第２固定部を有する封止管とを含む上述の発光管と、（ｂ）発
光管の第１固定部側に設けられ、当該発光管から放射された光束を所定方向に揃えて射出
する主反射鏡とを備える。
【００１４】
上記光源装置では、発光管の電極が根元側部分において金属箔部材の端部によって電極
の軸に垂直な両側から挟まれているので、金属箔部材と電極の根元側部分とを固定部内に
埋め込むように固定する際に、電極が封止管の軸に対して傾いて固定される可能性を低減
できる。これにより、電極の先端方向に形成されるアークの位置やサイズが個々の製品ご
とにばらつくことを防止でき、発光管を備える光源装置の明るさや寿命のばらつきを低減
できる。
【００１５】
本発明の具体的な態様では、上記光源装置において、発光管の第２固定部側に設けられ
、発光管から主反射鏡の反対側に放射された光束を発光管の本体部分中の発光部に戻す副
反射鏡をさらに備える。この場合、発光管の前方に射出した光束を回収して主反射鏡に導
くことができるので、より光の利用効率を高めることができる。
【００１６】
本発明に係るプロジェクタは、（ａ）上述の光源装置と、（ｂ）光源装置から射出され
た光束を入力された画像情報に応じて変調して変調光を形成する光変調部と、（ｃ）光変
調部からの変調光を像光として投射する投射光学系とを備える。
【００１７】
上記プロジェクタでは、光変調装置によって形成された変調光を像光としてスクリーン
等に投射することができる。この際、光源装置として、明るさや寿命に関してばらつきの
少ない光源装置を用いるので、明るく鮮明な画像を投射することができる低コストのプロ
ジェクタを提供することができる。
【００１８】
本発明の具体的な態様では、上記プロジェクタ光源装置において、光変調部が、各色光
をそれぞれ変調する各色用の光変調装置を有し、光源装置から射出された光束を各色光に
分離して各色用の光変調装置に導く色分離光学系と、各色用の光変調装置によって変調さ
れた各色の変調光を合成する色合成光学系とをさらに備え、投射光学系が、当該色合成光
学系によって合成された像光を投射する。この場合、複数の光変調部によって形成された
各色の変調光を合成することによって得たカラー画像を投射することができる。
【発明を実施するための最良の形態】
【００１９】
〔第１実施形態〕
以下、本発明の第１実施形態に係る光源装置である光源ランプユニットを図面に基づい
て説明する。
【００２０】
図１は、光源ランプユニット２０の側方断面図であり、図２は、光源ランプユニット２
０の斜視図である。光源ランプユニット２０は、発光管であるランプ本体２１と、楕円リ
フレクタである凹面鏡２２と、球面状リフレクタである副反射鏡８９と、凹レンズ２３と
を備える光源装置である。光源ランプユニット２０において、ランプ本体２１は、光源光
を放射する放電発光管であり、主反射鏡である凹面鏡２２に一端で支持されており、凹面
鏡２２とともに一体化されてランプ組立体を構成している。なお、凹面鏡２２と凹レンズ
２３とは、図２に示されるホルダにアライメントされた状態で固定されている。
【００２１】
ランプ本体２１は、封止管７１と、第１導電部材７３Ａと、第２導電部材７３Ｂとを備
える。ここで、封止管７１は、中央部が球状に膨出した光透過性の石英ガラス管で構成さ
れており、その中央部分が本体部分に相当する発光部８１となっており、この発光部８１
を挟んで反対側に設けられた両端部分が一対の細径部に相当する第１及び第２固定部８３
Ａ，８３Ｂとなっている。第１固定部８３Ａ側の第１導電部材７３Ａは、タングステン製
の電極８６Ａと、モリブデン製の第１金属箔部材８７Ａと、モリブデン製のリード線８８
Ａとを備える。第２導電部材７３Ｂも、第１導電部材７３Ａと同様の構造を有しており、
電極８６Ｂと、第２金属箔部材８７Ｂと、リード線８８Ｂとを備える。
【００２２】
封止管７１において、発光部８１内の球形の内部空間には、ランプ本体２１の発光タイ
プに対応させて所望の発光特性を実現するため、水銀、希ガス、ハロゲン等を含むガスが
封入されている。発光部８１の両端すなわち第１及び第２固定部８３Ａ，８３Ｂ側からは
、一対の電極８６Ａ，８６Ｂの先端部が内部空間に延びている。第１及び第２導電部材７
３Ａ，７３Ｂに電源を接続すると、両電極８６Ａ，８６Ｂの間にアーク放電が生じ、発光
部８１内が高輝度で発光し光源光束が周囲に射出される。
【００２３】
ランプ本体２１の第１固定部８３Ａにおいては、電極８６Ａの根元側部分と、第１金属
箔部材８７Ａと、リード線８８Ａの端部とが、石英ガラス管の熱収縮を利用したシュリン
クシールによって気密に固定されている。また、第２固定部８３Ｂにおいては、電極８６
Ｂの根元側部分と、第２金属箔部材８７Ｂと、リード線８８Ｂの端部とが、石英ガラス管
の熱収縮を利用したシュリンクシールによって気密に固定されている。
【００２４】
図３（ａ）及び３（ｂ）は、第１導電部材７３Ａの構造を説明する平面図及び側面図で
ある。第１導電部材７３Ａにおいて、第１金属箔部材８７Ａは、２枚の箔板８４ｅ，８４
ｆで構成され、これら箔板８４ｅ，８４ｆを電極軸ＡＸに沿って互いに平行に配置したも
のである。なお、第１金属箔部材８７Ａの先端（紙面上で下端）に固定される電極８６Ａ
の先端には、半球状又は擬宝珠状の外形を有する電極先端部８６ｆが形成されており、そ
の根元部分には、例えばコイル８６ｇが巻かれている。
【００２５】
第１金属箔部材８７Ａは、電極８６Ａを取り付ける電極取付部８４ａと、リード線８８
Ａを取り付けるリード線取付部８４ｂと、両取付部８４ａ，８４ｂ間に設けられた本体部
８４ｃとを有する。電極取付部８４ａにおいて、電極８６Ａを構成する断面円形で棒状の
根元側部分８６ｄは、２枚の箔板８４ｅ，８４ｆの一部分によって対向する側面方向から
挟まれて固定されている。つまり、電極８６Ａの根元側部分８６ｄは、電極軸ＡＸに垂直
なＡＢ方向に沿った両側から挟まれている。この際、一方の箔板８４ｅ側には、例えば２
カ所でスポット溶接等を利用した固定部ＳＷが形成されており、他方の箔板８４ｆ側にも
、例えば２カ所でスポット溶接等を利用した固定部ＳＷが形成されている。このように、
電極８６Ａの根元側部分８６ｄを２枚の箔板８４ｅ，８４ｆで挟んで固定することにより
、電極８６Ａや電極取付部８４ａが第１導電部材７３Ａの電極軸ＡＸに沿って電極軸ＡＸ
のまわりに回転対称に配置されるとともに、電極取付部８４ａにおける電極８６Ａの固定
が安定する。この結果、シュリンクシールによる封止に際して、電極８６Ａが第１金属箔
部材８７Ａやリード線８８Ａを基準とする電極軸ＡＸに対して傾くことを防止でき、電極
８６Ａの先端方向に形成されるアークの位置やサイズが個々の製品ごとにばらつくことを
防止でき、ランプ本体２１の明るさや寿命のばらつきを低減できる。
【００２６】
リード線取付部８４ｂにおいて、リード線８８Ａを構成する断面円形で棒状の端部８８
ｔも、２枚の箔板８４ｅ，８４ｆの一部分によって対向する側面方向から挟まれて固定さ
れている。つまり、リード線８８Ａの端部８８ｔは、電極軸ＡＸに垂直なＡＢ方向に沿っ
た両側から挟まれている。この際、一方の箔板８４ｅ側には、例えば２カ所でスポット溶
接等を利用した固定部ＳＷが形成されており、他方の箔板８４ｆ側にも、例えば２カ所で
スポット溶接等を利用した固定部ＳＷが形成されている。このように、リード線８８Ａの
端部８８ｔを２枚の箔板８４ｅ，８４ｆで挟んで固定することにより、リード線８８Ａが
第１導電部材７３Ａの電極軸ＡＸに沿って電極軸ＡＸのまわりに回転対称に配置されると
ともに、リード線取付部８４ｂにおけるリード線８８Ａの固定が安定する。この結果、シ
ュリンクシールによる封止に際して、第１金属箔部材８７Ａや電極８６Ａが、リード線８
８Ａを基準とする電極軸ＡＸに対して傾くことを防止でき、電極８６Ａの先端方向に形成
されるアークの位置やサイズが個々の製品ごとにばらつくことを防止でき、延いてはラン
プ本体２１の明るさや寿命のばらつきを低減できる。
【００２７】
図４は、第１金属箔部材８７Ａを封止管７１内に固定するためのシュリンクシール工程
を説明する図である。第１金属箔部材８７Ａは、封止管７１のプリフォーム７１Ｐの管内
空間ＳＰに保持される。この際、リード線８８Ａの上端部には、固定具７３Ｆが一時的に
接続されており、電極軸ＡＸを管内空間ＳＰの軸心に一致させた状態に吊るすことができ
る。この状態で、プリフォーム７１Ｐの下部の適所にバーナからの火炎ＦＬを供給するこ
とにより、プリフォーム７１Ｐにネック部ＮＫが形成され、このネック部ＮＫに電極８６
Ａの根元側が固定される。これにより、電極８６Ａが管内空間ＳＰの軸心に固定され、電
極８６Ａとネック部ＮＫとの密着（封止管７１の封止）が達成される。その後、火炎ＦＬ
を当てる箇所を徐々に上昇させることによって、プリフォーム７１Ｐの上部が全体的に細
径化して電極８６Ａの根元側部分と、第１金属箔部材８７Ａと、リード線８８Ａとが管内
空間ＳＰの軸心に沿って固定され、第１固定部８３Ａ（図１参照）が形成される。この際
、上述したように、電極８６Ａやリード線８８Ａが第１金属箔部材８７Ａに安定して固定
されており、電極８６Ａをプリフォーム７１Ｐすなわち発光部８１の軸心に精密に位置決
めして固定することができる。
【００２８】
なお、以上で説明した第１金属箔部材８７Ａの構造、製造、組み付け等は、第２金属箔
部材８７Ｂと同様であるので、第２金属箔部材８７Ｂについての説明は、省略する。結果
的に、第２金属箔部材８７Ｂについても、シュリンクシールによる封止に際して、第２金
属箔部材８７Ｂや電極８６Ｂが、リード線８８Ｂを基準とする電極軸ＡＸに対して傾くこ
とを防止でき、電極８６Ｂの先端方向に形成されるアークの位置やサイズが個々の製品ご
とにばらつくことを防止でき、延いてはランプ本体２１の明るさや寿命のばらつきを低減
できる。
【００２９】
図１に戻って、ランプ本体２１の発光部８１のうち光束射出前方側の略半分は、副反射
鏡８９によって覆われている。この副反射鏡８９は、ランプ本体２１の発光部８１から前
方に放射された光束を発光部８１に戻す副反射部８９ａと、この副反射部８９ａの根元部
を支持した状態で第２固定部８４の周囲に固定される支持部８９ｂとを備える。ここで、
副反射部８９ａの内側ガラス面は、発光部８１の表面に倣う略球面の凹曲面状に加工され
、その表面上に反射面８９ｒが形成されている。また、支持部８９ｂは、中心に第２固定
部８３Ｂを挿通させるとともに、第２固定部８３Ｂとの隙間に無機系接着剤ＭＢを充填す
ることによって副反射部８９ａを発光部８１に対してアライメントした状態で固定可能に
している。
【００３０】
凹面鏡２２は、ランプ本体２１の第１固定部８３Ａが挿通される首状部２２ａと、この
首状部２２ａから拡がる楕円曲面状の主反射部２２ｂとを備えた石英ガラス製の一体成形
品である。首状部２２ａは、第１固定部８３Ａを挿通させるとともに、第１固定部８３Ａ
との隙間に無機系接着剤ＭＢを充填することによって主反射部２２ｂを発光部８１に対し
てアライメントした状態で固定可能にしている。また、主反射部２２ｂの内側ガラス面は
、楕円曲面状に加工され、その表面上に反射面２２ｒが形成されている。
【００３１】
ランプ本体２１は、主反射部２２ｂの光軸に対応するシステム光軸ＯＡに沿って配置さ
れるとともに、発光部８１内の電極８６Ａ，８６Ｂ間の発光中心Ｏが主反射部２２ｂの楕
円曲面の第１焦点Ｆ１位置となるように配置される。ランプ本体２１を点灯した場合、発
光部８１から放射された光束は主反射部２２ｂで反射され、或いは副反射鏡８９を経て主
反射部２２ｂで反射され、楕円曲面の第２焦点Ｆ２位置に収束する光束となる。
【００３２】
図２を参照して、光源ランプユニット２０は、前述したランプ本体２１、凹面鏡２２、
副反射鏡８９、及び凹レンズ２３のほかに、凹レンズ２３を保持する保持部材１６と、凹
面鏡２２を保持するインナーホルダ９０とを備えて構成されている。
【００３３】
インナーホルダ９０は、断面Ｌ字状の合成樹脂製の一体成形品であり、水平部１５１及
び枠部９１を備えている。水平部１５１は、光源ランプユニット２０を組み込むためのケ
ース１１（不図示）の壁部と係合する。また、この水平部１５１には、ランプ本体２１を
外部電源と電気的に接続するためのコネクタ８８ｄが固定され、コネクタ８８ｄには、ラ
ンプ本体２１のリード線８８Ａ，８８Ｂからそれぞれ延びる２つの配線ケーブル８８ａ，
８８ｂが接続されている。
【００３４】
枠部９１は、矩形で筒状の形状を有し、システム光軸（照明光軸）ＯＡ方向の位置決め
を行うように凹面鏡２２の光束射出開口端縁が当接するストッパ９２を備える。この枠部
９１に対して凹面鏡２２の光束射出開口端縁である外周縁部２２ｄが押さえバネ（不図示
）によって押圧され固定される。また、このような水平部１５１及び枠部９１の適所には
、突起及び凹部が形成されており、これらの突起・凹部が光源ランプユニット２０を組み
込んだ光学装置内に形成された凹部・突起とそれぞれ係合することにより、凹面鏡２２の
光軸すなわち照明光軸と、光学装置のシステム光軸ＯＡとがアライメントされ、ランプ本
体２１の発光中心Ｏがシステム光軸ＯＡ上に配置される。
【００３５】
保持部材１６は、凹面鏡２２の光束射出開口に応じた円筒形状であって、凹面鏡２２と
は反対側から枠部９１に接着固定され、凹レンズ２３の外周端部を保持するものである。
この保持部材１６は、一体成形された筒部１６１及び保持部１６２で構成されている。筒
部１６１は、内部にランプ本体２１を覆っている。保持部１６２は、この筒部１６１の光
束射出側端面を塞ぐように設けられ、凹レンズ２３が嵌め込まれる開口１６９を有してい
る。保持部材１６には、保持部材１６の筒部１６１の一方の側面に吸気口１９１を、他方
の側面に排気口１９２を、それぞれ矩形状に切り欠いて形成してある。これにより、保持
部材１６及び凹面鏡２２内の空間を通過する冷却流路を確保することができる。これら吸
気口１９１及び排気口１９２には、ランプ本体２１の破裂時にランプの破片が飛散しない
ようにメッシュ（図示しない）が備えられている。
【００３６】
〔第２実施形態〕
本実施形態の光源ランプユニットは、図１に示す第１実施形態の光源ランプユニット２
０を変形したものであり、特に説明しない部分については第１実施形態の光源ランプユニ
ット２０と同一の構造を有し、また、共通する部分については同一の符号を付して重複説
明を省略するものとする。
【００３７】
図５は、第２実施形態に係る光源ランプユニットの要部を説明するための図であり、図
５（ａ）及び５（ｂ）は、当該光源ランプユニットに組み込まれる第１導電部材２７３Ａ
の構造を説明する平面図及び側面図である。
【００３８】
第１導電部材２７３Ａにおいて、第１金属箔部材２８７Ａは、１枚の大きな箔板２８４
ｅと、２枚の小さな箔板２８４ｆ，２８４ｇとで構成され、スポット溶接等を利用した複
数の固定部ＳＷによって、箔板２８４ｅの両端側に箔板２８４ｆ，２８４ｇを固定したも
のである。これら箔板２８４ｆ，２８４ｇは、箔板２８４ｅの両端部分２８４ｈ，２８４
ｈとともに電極軸ＡＸに沿って互いに平行に配置されている。これにより、電極取付部（
端部）８４ａにおいて、電極８６Ａの根元側部分８６ｄは、箔板２８４ｇ及び端部分２８
４ｈによって対向する側面方向から挟まれて固定されている。つまり、電極８６Ａの根元
側部分８６ｄは、電極軸ＡＸに垂直なＡＢ方向に沿った両側から挟まれている。このよう
に、電極８６Ａの根元側部分８６ｄを２枚の箔板２８４ｇ及び端部分２８４ｈで挟んで固
定することにより、電極８６Ａや電極取付部８４ａが第１導電部材２７３Ａの電極軸ＡＸ
に沿って電極軸ＡＸのまわりに回転対称に配置されるとともに、電極取付部８４ａにおけ
る電極８６Ａの固定が安定する。この結果、シュリンクシールによる封止に際して、電極
８６Ａが第１金属箔部材２８７Ａやリード線８８Ａを基準とする電極軸ＡＸに対して傾く
ことを防止できる。
【００３９】
リード線取付部（端部）８４ｂにおいて、リード線８８Ａの端部８８ｔは、箔板２８４
ｆ及び端部分２８４ｈによって対向する側面方向から挟まれて固定されている。つまり、
リード線８８Ａの端部８８ｔは、電極軸ＡＸに垂直なＡＢ方向に沿った両側から挟まれて
いる。このように、リード線８８Ａの端部８８ｔを２枚の箔板２８４ｆ及び端部分２８４
ｈで挟んで固定することにより、リード線８８Ａが第１導電部材２７３Ａの電極軸ＡＸに
沿って電極軸ＡＸのまわりに回転対称に配置されるとともに、リード線取付部８４ｂにお
けるリード線８８Ａの固定が安定する。この結果、シュリンクシールによる封止に際して
、第１金属箔部材２８７Ａや電極８６Ａが、リード線８８Ａを基準とする電極軸ＡＸに対
して傾くことを防止できる。
【００４０】
なお、以上で説明した第１金属箔部材２８７Ａの構造等は、図１の第２導電部材７３Ｂ
にも同様に適用される。
【００４１】
〔第３実施形態〕
本実施形態の光源ランプユニットは、図１に示す第１実施形態の光源ランプユニット２
０を変形したものであり、特に説明しない部分については第１実施形態の光源ランプユニ
ット２０と同一の構造を有する。
【００４２】
図６は、第３実施形態に係る光源ランプユニットの要部を説明するための図であり、図
６（ａ）及び６（ｂ）は、当該光源ランプユニットに組み込まれる第１導電部材３７３Ａ
の構造を説明する平面図及び側面図である。
【００４３】
第１導電部材３７３Ａにおいて、第１金属箔部材３８７Ａは、１枚の大きな箔板３８４
ｅのみで構成される。この箔板３８４ｅは、第１金属箔部材３８７Ａの電極取付部８４ａ
及びリード線取付部８４ｂに対応する部分で、電極軸ＡＸに沿って切れ目ＣＬが設けられ
ている。結果的に、箔板３８４ｅは、電極取付部８４ａの箇所で、電極軸ＡＸに沿って延
びる第１部分３８４ｆと第２部分３８４ｇとに分かれている。そして、図６（ａ）に示す
正面側において、スポット溶接等を利用した複数の固定部ＳＷによって、第１部分３８４
ｆと電極８６Ａの根元側部分８６ｄとが固定され、裏面側において、スポット溶接等を利
用した複数の固定部ＳＷによって、第２部分３８４ｇと電極８６Ａの根元側部分８６ｄと
が固定される。この際、電極８６Ａの根元側部分８６ｄは、第１及び第２部分３８４ｆ，
３８４ｇによって対向する側面方向から挟まれて固定されている。つまり、電極８６Ａの
根元側部分８６ｄは、電極軸ＡＸに垂直なＡＢ方向に沿った両側から挟まれている。この
ように、電極８６Ａの根元側部分８６ｄを箔板３８４ｅの端部において２分した部分３８
４ｆ，３８４ｇで挟んで固定することにより、電極８６Ａや電極取付部８４ａが第１導電
部材３７３Ａの電極軸ＡＸに沿って電極軸ＡＸのまわりに回転対称に配置されるとともに
、電極取付部８４ａにおける電極８６Ａの固定が安定する。この結果、シュリンクシール
による封止に際して、電極８６Ａが第１金属箔部材３８７Ａやリード線８８Ａを基準とす
る電極軸ＡＸに対して傾くことを防止できる。
【００４４】
また、箔板３８４ｅは、リード線取付部８４ｂの箇所でも、電極軸ＡＸに沿って延びる
第１部分３８４ｆと第２部分３８４ｇとに分かれている。そして、図６（ａ）に示す正面
側において、スポット溶接等を利用した複数の固定部ＳＷによって、第１部分３８４ｆと
リード線８８Ａの端部８８ｔとが固定され、裏面側において、スポット溶接等を利用した
複数の固定部ＳＷによって、第２部分３８４ｇとリード線８８Ａの端部８８ｔとが固定さ
れる。この際、リード線８８Ａの端部８８ｔは、第１及び第２部分３８４ｆ，３８４ｇに
よって対向する側面方向から挟まれて固定されている。つまり、リード線８８Ａの端部８
８ｔは、電極軸ＡＸに垂直なＡＢ方向に沿った両側から挟まれている。このように、リー
ド線８８Ａの端部８８ｔを箔板３８４ｅの端部において２分した部分３８４ｆ，３８４ｇ
で挟んで固定することにより、リード線８８Ａが第１導電部材３７３Ａの電極軸ＡＸに沿
って電極軸ＡＸのまわりに回転対称に配置されるとともに、リード線取付部８４ｂにおけ
るリード線８８Ａの固定が安定する。この結果、シュリンクシールによる封止に際して、
第１金属箔部材３８７Ａや電極８６Ａが、リード線８８Ａを基準とする電極軸ＡＸに対し
て傾くことを防止できる。
【００４５】
図７は、図６に示す第１導電部材３７３Ａの変形例を説明する側面図である。この場合
、第１導電部材４７３Ａにおいて、第１金属箔部材４８７Ａの箔板３８４ｅ両端に切断に
よって形成した第１及び第２部分４８４ｆ，４８４ｇが、根元側部分８６ｄや端部８８ｔ
の端面に近い付け根部分で鉤状に折り曲げられている。
【００４６】
なお、以上で説明した第１金属箔部材３８７Ａ，４８７Ａの構造等は、図１の第２導電
部材７３Ｂにも同様に適用される。
【００４７】
〔第４実施形態〕
図８（ａ）及び８（ｂ）は、本実施形態における第１導電部材５７３Ａの構造を説明す
る平面図である。この第１導電部材５７３Ａにおいて、第１金属箔部材５８７Ａは、図６
に示す第３実施形態における第１金属箔部材３８７Ａに変更を加えたものである。
【００４８】
図８（ａ）に示すように、第１導電部材５７３Ａを構成する第１金属箔部材５８７Ａは
、１枚の大きな箔板５８４ｅのみで形成される。この箔板５８４ｅは、電極取付部８４ａ
に対応する一端部に、鉤状の切れ目ＣＬ１を有しており、電極軸ＡＸに略沿って延びる第
１部分５８４ｆと第２部分５８４ｇとに分かれている。この箔板５８４ｅは、リード線取
付部８４ｂに対応する他端部にも、鉤状の切れ目ＣＬ１を有しており、電極軸ＡＸに略沿
って延びる第１部分５８４ｆと第２部分５８４ｇとに分かれている。
【００４９】
図８（ｂ）に示すように、電極取付部８４ａの表面側において、スポット溶接等を利用
した複数の固定部ＳＷによって、第１部分５８４ｆの第１突起ＰＲ１と電極８６Ａの根元
側部分８６ｄとが固定され、裏面側において、同様の固定部（不図示）によって、第２部
分５８４ｇの第１突起ＰＲ２と電極８６Ａの根元側部分８６ｄとが固定される。結果的に
、電極８６Ａの根元側部分８６ｄは、第１及び第２部分５８４ｆ，５８４ｇによって対向
する側面方向から挟まれて固定される。これにより、電極８６Ａや電極取付部８４ａが第
１導電部材５７３Ａの電極軸ＡＸに沿って電極軸ＡＸのまわりに対称的に配置されるとと
もに、電極取付部８４ａにおける電極８６Ａの固定が安定する。
【００５０】
また、リード線取付部８４ｂの表面側において、複数の固定部ＳＷによって、第１部分
５８４ｆの第１突起ＰＲ１とリード線８８Ａの端部８８ｔとが固定され、裏面側において
、同様の固定部（不図示）によって、第２部分５８４ｇの第２突起ＰＲ２とリード線８８
Ａの端部８８ｔとが固定される。結果的に、リード線８８Ａの端部８８ｔは、第１及び第
２部分５８４ｆ，５８４ｇによって対向する側面方向から挟まれて固定される。これによ
り、リード線８８Ａが第１導電部材５７３Ａの電極軸ＡＸに沿って電極軸ＡＸのまわりに
対称的に配置されるとともに、リード線取付部８４ｂにおけるリード線８８Ａの固定が安
定する。
【００５１】
なお、以上で説明した第１金属箔部材５８７Ａや第１導電部材５７３Ａの構造等は、図
１の第２金属箔部材８７Ｂ等にも同様に適用される。
【００５２】
〔第５実施形態〕
図９（ａ）及び９（ｂ）は、本実施形態における第１導電部材６７３Ａの構造を説明す
る平面図である。この第１導電部材６７３Ａにおいて、第１金属箔部材６８７Ａは、図６
に示す第３実施形態における第１金属箔部材３８７Ａに変更を加えたものである。
【００５３】
図９（ａ）に示すように、第１導電部材６７３Ａを構成する第１金属箔部材６８７Ａは
、１枚の大きな箔板６８４ｅのみで形成される。この箔板６８４ｅは、電極取付部８４ａ
に対応する一端部に、電極軸ＡＸに平行に延びる切れ目ＣＬを有しており、電極軸ＡＸに
略沿って延びる第１部分６８４ｆと第２部分６８４ｇとに分かれている。そして、電極取
付部８４ａの各部分６８４ｆ，６８４ｇには、折り曲げ用の折れ線ＦＬ１，ＦＬ２が形成
されている。この箔板６８４ｅは、リード線取付部８４ｂに対応する他端部にも、電極軸
ＡＸに平行に延びる切れ目ＣＬを有しており、電極軸ＡＸに略沿って延びる第１部分６８
４ｆと第２部分６８４ｇとに分かれている。そして、リード線取付部８４ｂの各部分６８
４ｆ，６８４ｇには、折り曲げ用の折れ線ＦＬ１，ＦＬ２が形成されている。
【００５４】
図９（ｂ）に示すように、電極取付部８４ａの表面側において、第１部分６８４ｆが折
れ線ＦＬ１，ＦＬ２を利用して谷及び山に折られており、第１部分６８４ｆの先端側が反
対側にはみ出して電極８６Ａの根元側部分８６ｄに重ねられる。この状態で、スポット溶
接等を利用した複数の固定部ＳＷによって、第１部分６８４ｆと電極８６Ａの根元側部分
８６ｄとが固定され、裏面側においても、同様の手法によって、第２部分６８４ｇと電極
８６Ａの根元側部分８６ｄとが固定される。結果的に、電極８６Ａの根元側部分８６ｄは
、第１及び第２部分６８４ｆ，６８４ｇによって対向する側面方向から挟まれて固定され
る。これにより、電極８６Ａや電極取付部８４ａが第１導電部材６７３Ａの電極軸ＡＸに
沿って電極軸ＡＸのまわりに回転対称に配置されるとともに、電極取付部８４ａにおける
電極８６Ａの固定が安定する。
【００５５】
また、リード線取付部８４ｂの表面側において、第１部分６８４ｆが折れ線ＦＬ１，Ｆ
Ｌ２を利用して谷及び山に折られており、第１部分６８４ｆの先端側が反対側にはみ出し
てリード線８８Ａの端部８８ｔに重ねられる。この状態で、複数の固定部ＳＷによって、
第１部分６８４ｆとリード線８８Ａの端部８８ｔとが固定され、裏面側においても、同様
の手法によって、第２部分６８４ｇとリード線８８Ａの端部８８ｔとが固定される。結果
的に、リード線８８Ａの端部８８ｔは、第１及び第２部分６８４ｆ，６８４ｇによって対
向する側面方向から挟まれて固定される。これにより、リード線８８Ａが第１導電部材６
７３Ａの電極軸ＡＸに沿って電極軸ＡＸのまわりに回転対称に配置されるとともに、リー
ド線取付部８４ｂにおけるリード線８８Ａの固定が安定する。
【００５６】
なお、以上で説明した第１金属箔部材６８７Ａや第１導電部材６７３Ａの構造等は、図
１の第２金属箔部材８７Ｂ等にも同様に適用される。
【００５７】
〔第６実施形態〕
図１０は、本発明の第６実施形態に係るプロジェクタ１０の光学系を示す模式図である
。このプロジェクタ１０は、上記第１〜第５実施形態で説明した導電部材を備える光源ラ
ンプユニット２０を組み込んだものである。このプロジェクタ１０は、光源から射出され
た光束を画像情報に応じて変調して光学像を形成し、この光学像をスクリーン上に拡大投
射する光学機器であり、光源ランプユニット２０、照明光学系３０、色分離装置４０、光
変調部５０、クロスダイクロイックプリズム６０、及び投射光学系６５を備えて構成され
る。なお、これらの光学部品２０，３０，４０，５０，６０，６５は、遮光性のケース１
１内部の適所に固定され、或いはケース１１の一部に外側から取り付けられている。
【００５８】
光源ランプユニット２０は、ランプ本体２１から周囲に放射された光束を集めて射出し
、照明光学系３０及び色分離装置４０を介して光変調部５０を照明するための光源装置で
ある。光源ランプユニット２０は、第１〜第６実施形態で説明した光源ランプユニット２
０をそのまま用いることができ、ランプ本体２１と、凹面鏡２２と、凹レンズ２３とを備
える。この光源ランプユニット２０において、ランプ本体２１から射出された光源光は、
凹面鏡２２及び凹レンズ２３を経て平行化され、前方側すなわち照明光学系３０側に射出
される。
【００５９】
照明光学系３０は、光源ランプユニット２０から射出された光束を複数の部分光束に分
割し、これら複数の光束を対象とする照明領域に重畳して入射させ、この照明領域の面内
照度を均一化するための光学系であり、第１レンズアレイ３１、第２レンズアレイ３２、
偏光変換部材３４、及びコンデンサレンズ３５を備えている。
【００６０】
第１レンズアレイ３１は、ランプ本体２１から射出された光束を複数の部分光束に分割
する光束分割光学素子としての機能を有し、システム光軸ＯＡと直交する面内にマトリッ
クス状に配列される複数の小レンズ３１ａを備えて構成される。各小レンズ３１ａの輪郭
形状は、後述する光変調部５０を構成する液晶パネル５１ｂ，５１ｇ，５１ｒの画像形成
領域の形状とほぼ相似形をなすように設定されている。第２レンズアレイ３２は、前述し
た第１レンズアレイ３１により分割された複数の部分光束を集光する光学素子であり、第
１レンズアレイ３１と同様にシステム光軸ＯＡに直交する面内にマトリックス状に配列さ
れる複数の小レンズ３２ａを備えているが、集光を目的としているため、各小レンズ３２
ａの輪郭形状が液晶パネル５１ｂ，５１ｇ，５１ｒの画像形成領域の形状と対応している
必要はない。
【００６１】
偏光変換部材３４は、ＰＢＳアレイと位相差板とで形成されており、第１レンズアレイ
３１により分割された各部分光束の偏光方向を一方向の直線偏光に揃える役割を有する。
この偏光変換部材３４のＰＢＳアレイは、詳細な図示を省略しているが、システム光軸Ｏ
Ａに対して傾斜配置される偏光分離膜及び反射ミラーを交互に配列した構成を具備する。
前者の偏光分離膜は、各部分光束に含まれるＰ偏光光束及びＳ偏光光束のうち、一方の偏
光光束を透過し、他方の偏光光束を反射する。反射された他方の偏光光束は、後者の反射
ミラーによって曲折され、一方の偏光光束の射出方向、すなわちシステム光軸ＯＡに沿っ
た方向に射出される。射出された偏光光束のいずれかは、偏光変換部材３４の光束射出面
にストライプ状に設けられる位相差板によって偏光変換され、すべての偏光光束の偏光方
向が揃えられる。このような偏光変換部材３４を用いることにより、ランプ本体２１から
射出される光束を、一方向の偏光光束に揃えることができるため、光変調部５０で利用す
る光源光の利用率を向上させることができる。
【００６２】
コンデンサレンズ３５は、第１レンズアレイ３１、第２レンズアレイ３２、及び偏光変
換部材３４を経た複数の部分光束を集光して液晶パネル５１ｂ，５１ｇ，５１ｒの画像形
成領域上に重畳させて入射させる重畳光学素子である。このコンデンサレンズ３５から射
出された光束は、均一化されつつ次段の色分離装置４０に射出される。つまり、両レンズ
アレイ３１，３２とコンデンサレンズ３５とを経た照明光は、以下に詳述する色分離装置
４０を経て、光変調部５０すなわち各色の液晶パネル５１ｂ，５１ｇ，５１ｒの画像形成
領域を均一に重畳照明する。
【００６３】
色分離装置４０は、第１及び第２ダイクロイックミラー４１ａ，４１ｂ、反射ミラー４
２ａ，４２ｂ，４２ｃ、フィールドレンズ４３ｒ，４３ｂ，４３ｇ、及びリレー光学系４
６，４７を備える。これらのうち、第１及び第２ダイクロイックミラー４１ａ，４１ｂを
含んで構成される色分離光学系は、照明光を青（Ｂ）色光、緑（Ｇ）色光、及び赤（Ｒ）
色光の３つの光束に分離する。各ダイクロイックミラー４１ａ，４１ｂは、透明基板上に
、所定の波長領域の光束を反射し他の波長領域の光束を透過する波長選択作用を有する誘
電体多層膜を形成することによって得た光学素子であり、システム光軸ＯＡに対してとも
に傾斜した状態で配置される。第１ダイクロイックミラー４１ａは、赤・青・緑（Ｒ・Ｇ
・Ｂ）の３色のうち青色光ＬＢを反射し、緑色光ＬＧと赤色光ＬＲとを透過させる。また
、第２ダイクロイックミラー４１ｂは、入射した緑色光ＬＧ及び赤色光ＬＲのうち緑色光
ＬＧを反射し赤色光ＬＲを透過させる。
【００６４】
この色分離装置４０において、光源ランプユニット２０から照明光学系３０を経て入射
した照明光は、まず第１ダイクロイックミラー４１ａに入射する。第１ダイクロイックミ
ラー４１ａで反射された青色光ＬＢは、第１光路ＯＰ１に導かれ、反射ミラー４２ａを経
て最終段のフィールドレンズ４３ｂに入射する。また、第１ダイクロイックミラー４１ａ
を透過して第２ダイクロイックミラー４１ｂで反射された緑色光ＬＧは、第２光路ＯＰ２
に導かれ最終段のフィールドレンズ４３ｇに入射する。さらに、第２ダイクロイックミラ
ー４１ｂを通過した赤色光ＬＲは、第３光路ＯＰ３に導かれ、反射ミラー４２ｂ，４２ｃ
やリレー光学系４６，４７を経て最終段のフィールドレンズ４３ｒに入射する。なお、リ
レー光学系４６，４７は、入射側の第１のレンズ４６の直前に形成された像を、次段の第
２のレンズ４７を介して、ほぼそのまま射出側のフィールドレンズ４３ｒに伝達すること
により、光の拡散等による光の利用効率の低下を防止している。
【００６５】
光変調部５０は、３色の照明光ＬＢ，ＬＧ，ＬＲがそれぞれ入射する３つの液晶パネル
（液晶表示パネル）５１ｂ，５１ｇ，５１ｒと、各液晶パネル５１ｂ，５１ｇ，５１ｒを
挟むように配置される３組の偏光フィルタ５２ｂ，５２ｇ，５２ｒとを備える。ここで、
例えば青色光ＬＢ用の液晶パネル５１ｂと、これを挟む一対の偏光フィルタ５２ｂ，５２
ｂとは、照明光を２次元的に輝度変調するための液晶ライトバルブを構成する。同様に、
緑色光ＬＧ用の液晶パネル５１ｇと、対応する偏光フィルタ５２ｇ，５２ｇも、液晶ライ
トバルブを構成し、赤色光ＬＲ用の液晶パネル５１ｒと、偏光フィルタ５２ｒ，５２ｒも
、液晶ライトバルブを構成する。各液晶パネル５１ｂ，５１ｇ，５１ｒは、一対の透明な
ガラス基板間に電気光学物質である液晶を密閉封入したものであり、例えば、ポリシリコ
ンＴＦＴをスイッチング素子として、与えられた画像信号に従って、それぞれに入射した
偏光光束の偏光方向を変調する。
【００６６】
この光変調部５０において、第１光路ＯＰ１に導かれた青色光ＬＢは、フィールドレン
ズ４３ｂを介して液晶パネル５１ｂの画像形成領域に入射する。第２光路ＯＰ２に導かれ
た緑色光ＬＧは、フィールドレンズ４３ｇを介して液晶パネル５１ｇの画像形成領域に入
射する。第３光路ＯＰ３に導かれた赤色光ＬＲは、リレー光学系４６，４７及びフィール
ドレンズ４３ｒを介して液晶パネル５１ｒの画像形成領域に入射する。各液晶パネル５１
ｂ，５１ｇ，５１ｒは、入射した照明光の偏光方向の空間的分布を変化させるための非発
光で透過型の光変調装置である。各液晶パネル５１ｂ，５１ｇ，５１ｒにそれぞれ入射し
た各色光ＬＢ，ＬＧ，ＬＲは、各液晶パネル５１ｂ，５１ｇ，５１ｒに画像情報に応じて
電気的信号として入力された駆動信号或いは制御信号に応じて、画素単位で偏光状態が調
整される。その際、偏光フィルタ５２ｂ，５２ｇ，５２ｒによって、各液晶パネル５１ｂ
，５１ｇ，５１ｒに入射する照明光の偏光方向が調整されるとともに、各液晶パネル５１
ｂ，５１ｇ，５１ｒから射出される光から所定の偏光方向の変調光が取り出される。
【００６７】
クロスダイクロイックプリズム６０は、射出側偏光板から射出された各色光毎に変調さ
れた光学像を合成してカラー画像を形成する光合成光学系である。このクロスダイクロイ
ックプリズム６０は、４つの直角プリズムを貼り合わせた平面視略正方形状をなし、直角
プリズム同士を貼り合わせた界面には、Ｘ字状に交差する一対の誘電体多層膜６１，６２
が形成されている。一方の第１誘電体多層膜６１は青色光を反射し、他方の第２誘電体多
層膜６２は赤色光を反射する。このクロスダイクロイックプリズム６０は、液晶パネル５
１ｂからの青色光ＬＢを第１誘電体多層膜６１で反射して進行方向右側に射出させ、液晶
パネル５１ｒからの赤色光ＬＲを第２誘電体多層膜６２で反射して進行方向左側に射出さ
せ、液晶パネル５１ｇからの緑色光ＬＧを両誘電体多層膜６１，６２を介して直進・射出
させる。
【００６８】
このようにクロスダイクロイックプリズム６０で合成された像光は、拡大投影レンズと
しての投射光学系６５を経て、適当な拡大率でスクリーン（不図示）にカラー画像として
投射される。
【００６９】
以上実施形態に即して本発明を説明したが、本発明は上記実施形態に限定されるもので
はない。例えば、金属箔部材８７Ａ，８７Ｂ等の輪郭形状は、長方形に限らず多様な形状
とすることができる。また、電極８６Ｂの形状も単なる例示であり、用途等に応じて適宜
変更することができる。
【００７０】
上記実施形態の光源ランプユニット２０において、第１及び第２導電部材７３Ａ，７３
Ｂの双方を同一の構造としているが、例えば第２導電部材７３Ｂについては従来型とする
ことができる。この場合も、少なくとも第１導電部材７３Ａについてアライメント精度を
向上させることができる。
【００７１】
上記実施形態の光源ランプユニット２０において、凹面鏡２２や副反射鏡８９の反射面
２２ｒ，８９ｒは、それぞれ楕円曲面や球面に限らず、光源ランプユニット２０に要求さ
れる精度その他の仕様に応じて多様な曲面とすることができる。
【００７２】
また、上記実施形態のプロジェクタ１０では、光源ランプユニット２０等からの光を複
数の部分光束に分割するため、２つのレンズアレイ３１，３２を用いていたが、この発明
は、このようなレンズアレイ３１，３２を用いないプロジェクタにも適用可能である。さ
らに、レンズアレイ３１，３２をロッドインテグレータに置き換えることもできる。
【００７３】
また、上記実施形態では、光源ランプユニット２０等からの光を特定方向の偏光とする
ＰＢＳアレイを用いていたが、この発明は、このようなＰＢＳアレイを用いないプロジェ
クタにも適用可能である。
【００７４】
上記実施形態では、光変調装置を３つ用いたプロジェクタ１０の例について説明したが
、本発明は、光変調装置を１つ、２つ、あるいは４つ以上用いたプロジェクタにも適用す
ることができる。
【００７５】
また、上記実施形態では、透過型のプロジェクタに本発明を適用した場合の例について
説明したが、本発明は、反射型プロジェクタにも適用することが可能である。ここで、「
透過型」とは、液晶パネル等を含むライトバルブが光を透過するタイプであることを意味
しており、「反射型」とは、ライトバルブが光を反射するタイプであることを意味してい
る。反射型プロジェクタの場合、ライトバルブは液晶パネルのみによって構成することが
可能であり、一対の偏光板は不要である。なお、光変調装置は液晶パネル等に限られず、
例えばマイクロミラーを用いた光変調装置であってもよい。
【００７６】
また、プロジェクタとしては、投射面を観察する方向から画像投射を行う前面プロジェ
クタと、投射面を観察する方向とは反対側から画像投射を行う背面プロジェクタとがある
が、図１０のプロジェクタ１０の構成は、いずれにも適用可能である。
【図面の簡単な説明】
【００７７】
【図１】第１実施形態に係る光源ランプユニットの光学系を説明する図である。
【図２】図１に示す光源ランプユニットの斜視図である。
【図３】（ａ）、（ｂ）は、光源ランプユニットに組み込まれる導電部材の正面図及び側面図である。
【図４】光源ランプユニットのランプ本体の製造方法を説明する図である。
【図５】（ａ）、（ｂ）は、第２実施形態におけるランプ本体を説明する図である。
【図６】（ａ）、（ｂ）は、第３実施形態におけるランプ本体を説明する図である。
【図７】第３実施形態のランプ本体の変形例を説明する図である。
【図８】（ａ）、（ｂ）は、第４実施形態におけるランプ本体を説明する図である。
【図９】（ａ）、（ｂ）は、第５実施形態におけるランプ本体を説明する図である。
【図１０】第６実施形態に係るプロジェクタの光学系を説明する図である。
【符号の説明】
【００７８】
１０…プロジェクタ、  １１…ケース、  ２０…光源ランプユニット、  ２０，３０，
４０，５０，６０，６５…光学部品、  ２１…ランプ本体、  ２２…凹面鏡、  ２３…凹
レンズ、  ３０…照明光学系、  ３１，３２…レンズアレイ、  ３４…偏光変換部材、  
３５…コンデンサレンズ、  ４０…色分離装置、  ４１ａ，４１ｂ…ダイクロイックミラ
ー、  ４３ｒ，４３ｂ，４３ｇ、…フィールドレンズ、  ５０…光変調部、  ５１ｂ，５
１ｇ，５１ｒ…液晶パネル、  ５２ｂ，５２ｇ，５２ｒ…偏光フィルタ、  ６０…クロス
ダイクロイックプリズム、  ６１，６２…誘電体多層膜、  ６５…投射光学系、  ７１…
封止管、  ７３Ａ…第１導電部材、  ７３Ｂ…第２導電部材、  ８１…発光部、  ８３Ａ
…第１固定部、  ８３Ａ…第１固定部、  ８４ａ…電極取付部、  ８４ｂ…リード線取付
部、  ８４ｃ…本体部、  ８４ｅ，８４ｆ…箔板、  ８６Ａ，８６Ｂ…電極、  ８６ｄ…
根元側部分、  ８７Ａ，８７Ｂ…金属箔部材、  ８８Ａ，８８Ｂ…リード線、  ８８ｔ…
端部、  ８９…副反射鏡、  ９０…インナーホルダ、  ＡＸ…電極軸、  ＬＢ，ＬＧ，Ｌ
Ｒ…各色光、  Ｏ…発光中心、  ＯＡ…システム光軸、  ＳＷ…固定部
【図１】
2008098079.tif 000003
【図２】
2008098079.tif 000004
【図３】
2008098079.tif 000005
【図４】
2008098079.tif 000006
【図５】
2008098079.tif 000007
【図６】
2008098079.tif 000008
【図７】
2008098079.tif 000009
【図８】
2008098079.tif 000010
【図９】
2008098079.tif 000011
【図１０】
2008098079.tif 000012
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
外側に延びるリード線と、内側に延びる電極と、前記リード線と前記電極との間に介在して両者を電気的に接続する金属箔部材とを含む少なくとも１つ以上の導電部材と、
前記電極のうち少なくとも先端部を内部空間に収納する本体部分と、前記導電部材のうち少なくとも前記金属箔部材と前記電極の根元側部分とを埋め込むように固定する固定部とを有する封止管とを備え、
前記電極は、前記根元側部分において、前記金属箔部材の端部によって前記電極の軸に垂直な両側から挟まれている発光管。
【請求項２】
前記導電部材を構成する前記リード線、及び前記金属箔部材は、前記電極の軸に沿って延びるとともに当該電極の軸のまわりに回転対称に配置されている請求項１記載の発光管。
【請求項３】
前記固定部は、前記電極の封入処理に際して前記封止管の前記本体部分の一端に形成された細径部である請求項１及び請求項２のいずれか一項記載の発光管。
【請求項４】
前記金属箔部材は、前記電極の軸が延びる方向に沿って互いに略平行に延びる２枚の箔板を有し、当該２枚の箔板は、前記リード線の端部と前記電極の根元側部分とを対向する方向から挟むように保持する請求項１から請求項３のいずれか一項記載の発光管。
【請求項５】
前記金属箔部材は、本体部と、当該本体部の一端に接続されるとともに前記電極の軸が延びる方向に略沿って互いに略平行に延びる第１及び第２部分を有する端部とを含み、当該第１及び第２部分は、前記電極の根元側部分を対向する方向から挟むように保持する請求項１から請求項３のいずれか一項記載の発光管。
【請求項６】
前記金属箔部材の端部は、１枚の箔板の端部を前記電極の軸が延びる方向に略沿って２つに切断することによって形成された第１及び第２部分を有し、当該第１及び第２部分は、前記電極の根元側部分を対向する方向から挟むように保持する請求項１から請求項３のいずれか一項記載の発光管。
【請求項７】
２つの前記導電部材と、各導電部材に対応して前記本体部分の両側に設けられる第１及び第２固定部を有する前記封止管とを含む請求項１から請求項６のいずれか一項記載の発光管と、
前記発光管の前記第１固定部側に設けられ、当該発光管から放射された光束を所定方向に揃えて射出する主反射鏡と、
を備える光源装置。
【請求項８】
前記発光管の前記第２固定部側に設けられ、前記発光管から前記主反射鏡の反対側に放射された光束を前記発光管の本体部分中の発光部に戻す副反射鏡をさらに備えることを特徴とする請求項７記載の光源装置。
【請求項９】
請求項７及び請求項８のいずれか一項記載の光源装置と、
前記光源装置から射出された光束を入力された画像情報に応じて変調して変調光を形成する光変調部と、
前記光変調部からの変調光を像光として投射する投射光学系と、
を備えるプロジェクタ。
【請求項１０】
前記光変調部は、前記各色光をそれぞれ変調する各色用の光変調装置を有し、
前記光源装置から射出された光束を各色光に分離して前記各色用の光変調装置に導く色分離光学系と、前記各色用の光変調装置によって変調された各色の変調光を合成する色合成光学系とをさらに備え、
前記投射光学系は、当該色合成光学系によって合成された像光を投射する
ことを特徴とする請求項９記載のプロジェクタ。
【手続補正２】
【補正対象書類名】明細書
【補正対象項目名】００２９
【補正方法】変更
【補正の内容】
【００２９】
図１に戻って、ランプ本体２１の発光部８１のうち光束射出前方側の略半分は、副反射鏡８９によって覆われている。この副反射鏡８９は、ランプ本体２１の発光部８１から前方に放射された光束を発光部８１に戻す副反射部８９ａと、この副反射部８９ａの根元部を支持した状態で第２固定部８３ｂの周囲に固定される支持部８９ｂとを備える。ここで、副反射部８９ａの内側ガラス面は、発光部８１の表面に倣う略球面の凹曲面状に加工され、その表面上に反射面８９ｒが形成されている。また、支持部８９ｂは、中心に第２固定部８３Ｂを挿通させるとともに、第２固定部８３Ｂとの隙間に無機系接着剤ＭＢを充填することによって副反射部８９ａを発光部８１に対してアライメントした状態で固定可能にしている。
【手続補正３】
【補正対象書類名】明細書
【補正対象項目名】００４９
【補正方法】変更
【補正の内容】
【００４９】
図８（ｂ）に示すように、電極取付部８４ａの表面側において、スポット溶接等を利用した複数の固定部ＳＷによって、第１部分５８４ｆの第１突起ＰＲ１と電極８６Ａの根元側部分８６ｄとが固定され、裏面側において、同様の固定部（不図示）によって、第２部分５８４ｇの第２突起ＰＲ２と電極８６Ａの根元側部分８６ｄとが固定される。結果的に、電極８６Ａの根元側部分８６ｄは、第１及び第２部分５８４ｆ，５８４ｇによって対向する側面方向から挟まれて固定される。これにより、電極８６Ａや電極取付部８４ａが第１導電部材５７３Ａの電極軸ＡＸに沿って電極軸ＡＸのまわりに対称的に配置されるとともに、電極取付部８４ａにおける電極８６Ａの固定が安定する。